(57)【要約】【課題】印刷データのうち、ユーザーが所望する部分に対してのみ色情報を変換する。【解決手段】印刷データに含まれる第１の色情報を、第１の色情報とは異なる第２の色情報に色変換するための色変換情報を複数記憶した印刷装置２の印刷制御を行うＰＣ１であって、印刷データのうち、色変換の変換対象を指定する第１指定情報と、印刷装置２に記憶されている複数の色変換情報のうち、色変換に用いられる色変換情報を指定する第２指定情報と、を含む印刷データを生成し、生成した印刷データを印刷装置２に送信するＰＣ制御部１１、を備える。【選択図】図１２
2020113039.tif 000002
【特許請求の範囲】
【請求項１】
印刷データに含まれる第１の色情報を、前記第１の色情報とは異なる第２の色情報に色変換する印刷装置の印刷制御を行う印刷制御装置であって、
前記印刷データのうち、前記色変換の変換対象を指定する第１指定情報を含む前記印刷データを生成し、生成した前記印刷データを前記印刷装置に送信する制御装置制御部、を備えることを特徴とする印刷制御装置。
【請求項２】
前記印刷装置は、前記色変換するための色変換情報を複数記憶しており、
前記制御装置制御部は、前記第１指定情報と、前記印刷装置に記憶されている複数の前記色変換情報のうち、前記色変換に用いられる前記色変換情報を指定する第２指定情報と、を含む前記印刷データを生成し、生成した前記印刷データを前記印刷装置に送信することを特徴とする請求項１に記載の印刷制御装置。
【請求項３】
前記第１指定情報は、前記印刷データの画像領域のうち、前記変換対象となる領域を指定する座標情報であることを特徴とする請求項１または２に記載の印刷制御装置。
【請求項４】
前記第１指定情報は、前記印刷データに含まれるオブジェクトのうち、前記変換対象となるオブジェクトを指定する情報であることを特徴とする請求項１または２に記載の印刷制御装置。
【請求項５】
前記制御装置制御部は、前記印刷データに対し、前記第１指定情報により指定された前記変換対象に対して前記色変換を行うことにより、前記印刷データのプレビュー表示画像を生成し、生成した前記プレビュー表示画像を表示部に表示させることを特徴とする請求項１ないし４のいずれか１項に記載の印刷制御装置。
【請求項６】
印刷データに含まれる第１の色情報を、前記第１の色情報とは異なる第２の色情報に色変換するための色変換情報を記憶した記憶部と、
前記印刷データのうち、前記色変換の変換対象を指定する第１指定情報を含む前記印刷データを取得する印刷データ取得部と、
前記記憶部に記憶されている前記色変換情報に基づいて、取得した前記印刷データのうち、前記第１指定情報により指定される前記変換対象に対して前記色変換を行い、前記印刷データの前記変換対象に対して前記色変換した画像データに基づいて、印刷部に印刷を実行させる印刷装置制御部と、を備えることを特徴とする印刷装置。
【請求項７】
前記印刷データは、描画コマンドを含み、
前記印刷装置制御部は、前記描画コマンドに含まれる色の指定を書き換えることにより、前記色変換を行うことを特徴とする請求項６に記載の印刷装置。
【請求項８】
印刷データに含まれる第１の色情報を、前記第１の色情報とは異なる第２の色情報に色変換するための色変換情報を記憶した記憶部を有する印刷装置と、前記印刷装置の印刷制御を行う印刷制御装置と、を含む印刷システムであって、
前記印刷装置は、
前記印刷制御装置から、前記印刷データのうち、前記色変換の変換対象を指定する第１指定情報を含む前記印刷データを取得する印刷データ取得部と、
前記記憶部に記憶されている前記色変換情報に基づいて、取得した前記印刷データのうち、前記第１指定情報により指定される前記変換対象に対して前記色変換を行い、前記印刷データの前記変換対象に対して前記色変換した画像データに基づいて、印刷部に印刷を実行させる印刷装置制御部と、を備えることを特徴とする印刷システム。
【請求項９】
印刷データに含まれる第１の色情報を、前記第１の色情報とは異なる第２の色情報に色変換する印刷装置の印刷制御を行うコンピューターに、
前記印刷データのうち、前記色変換の変換対象を指定する第１指定情報を含む前記印刷データを生成し、生成した前記印刷データを前記印刷装置に送信するステップ、を実行させることを特徴とするプログラム。
【発明の詳細な説明】
【技術分野】
【０００１】
本発明は、印刷制御装置、印刷装置、印刷システム、およびプログラムに関するものである。
【背景技術】
【０００２】
従来、特許文献１に示すように、第１の色情報を、第１の色情報とは異なる第２の色情報に色変換するための色変換情報を複数記憶しておき、複数の色変換情報のなかから選択された色変換情報を用いて、印刷データの色情報を変換する印刷制御装置が知られている。
【先行技術文献】
【特許文献】
【０００３】
【特許文献１】特開２０１６−１８６６９０号公報
【発明の概要】
【発明が解決しようとする課題】
【０００４】
従来の印刷制御装置は、印刷データの全体を対象として、第１の色情報を第２の色情報に色変換するため、印刷データのうち、ユーザーが所望しない部分に対しても色情報が変換されてしまうといった問題がある。
【課題を解決するための手段】
【０００５】
本発明の印刷制御装置は、印刷データに含まれる第１の色情報を、第１の色情報とは異なる第２の色情報に色変換する印刷装置の印刷制御を行う印刷制御装置であって、印刷データのうち、色変換の変換対象を指定する第１指定情報を含む印刷データを生成し、生成した印刷データを印刷装置に送信する制御装置制御部、を備える。
【０００６】
本発明の印刷装置は、印刷データに含まれる第１の色情報を、第１の色情報とは異なる第２の色情報に色変換するための色変換情報を記憶した記憶部と、印刷データのうち、色変換の変換対象を指定する第１指定情報を含む印刷データを取得する印刷データ取得部と、記憶部に記憶されている色変換情報に基づいて、取得した印刷データのうち、第１指定情報により指定される変換対象に対して色変換を行い、印刷データの変換対象に対して色変換した画像データに基づいて、印刷部に印刷を実行させる印刷装置制御部と、を備える。
【０００７】
本発明の印刷システムは、印刷データに含まれる第１の色情報を、第１の色情報とは異なる第２の色情報に色変換するための色変換情報を記憶した記憶部を有する印刷装置と、印刷装置の印刷制御を行う印刷制御装置と、を含む印刷システムであって、印刷装置は、印刷制御装置から、印刷データのうち、色変換の変換対象を指定する第１指定情報を含む印刷データを取得する印刷データ取得部と、記憶部に記憶されている色変換情報に基づいて、取得した印刷データのうち、第１指定情報により指定される変換対象に対して色変換を行い、印刷データの変換対象に対して色変換した画像データに基づいて、印刷部に印刷を実行させる印刷装置制御部と、を備える。
【０００８】
本発明のプログラムは、印刷データに含まれる第１の色情報を、第１の色情報とは異なる第２の色情報に色変換する印刷装置の印刷制御を行うコンピューターに、印刷データのうち、色変換の変換対象を指定する第１指定情報を含む印刷データを生成し、生成した印刷データを印刷装置に送信するステップ、を実行させる。
【図面の簡単な説明】
【０００９】
【図１】第１実施形態に係る第１印刷システムのブロック図である。
【図２】第１色変換情報作成画面の一例を示す図である。
【図３】第１セット情報の一例を示す図である。
【図４】第２セット情報の一例を示す図である。
【図５】メイン設定画面の一例を示す図である。
【図６】第１実施形態に係る第１詳細設定画面の一例を示す図である。
【図７】第１実施形態に係る登録処理の流れを示すフローチャートである。
【図８】第１実施形態に係る印刷処理の流れを示すフローチャートである。
【図９】第１実施形態の変形例に係る第１印刷システムのブロック図である。
【図１０】第１実施形態の変形例に係る登録処理の流れを示すフローチャートである。
【図１１】第１実施形態の変形例に係る印刷処理の流れを示すフローチャートである。
【図１２】第２実施形態に係る第２印刷システムのブロック図である。
【図１３】第３セット情報の一例を示す図である。
【図１４】第２実施形態に係る第２色変換情報作成画面の一例を示す図である。
【図１５】第２実施形態に係る第２詳細設定画面の一例を示す図である。
【図１６】第２実施形態に係る登録処理の流れを示すフローチャートである。
【図１７】第２実施形態に係る印刷処理の流れを示すフローチャートである。
【図１８】印刷データの画像領域と、変換対象領域の一例を示す図である。
【図１９】第２実施形態の変形例に係る第２詳細設定画面の一例を示す図である。
【発明を実施するための形態】
【００１０】
［第１実施形態］
以下、一実施形態に係る印刷制御装置、印刷装置、印刷システム、およびプログラムについて、添付図面を参照して説明する。図１は、第１実施形態に係る第１印刷システムＳＹ１のシステム構成図である。第１印刷システムＳＹ１は、１台以上のＰＣ（Personal Computer）１と、１台以上の印刷装置２と、これらを接続する通信線５と、を備える。同図では、１台のＰＣ１と１台の印刷装置２を含む第１印刷システムＳＹ１を示しているが、第１印刷システムＳＹ１に含まれるＰＣ１と印刷装置２の数は、同数でなくてもよい。ＰＣ１は、「印刷制御装置」および「コンピューター」の一例である。なお、通信線５に代えて、ＬＡＮ（Local Area Network）等のネットワークにより、１台以上のＰＣ１と、１台以上の印刷装置２と、を接続してもよい。
【００１１】
ＰＣ１は、印刷データを生成し、生成した印刷データを印刷装置２に送信する。印刷データの生成、および印刷データの送信は、「印刷制御」の一例である。印刷装置２は、ＰＣ１から取得した印刷データに対し、色変換処理等の画像処理を行って画像データを生成し、生成した画像データに基づいて印刷を行う。印刷装置２は、特に限定しないが、例えば、医療用ラベルや商品ラベルを作成するためのラベルプリンターである。
【００１２】
本実施形態の印刷装置２は、色変換処理の一部として、予め登録されている色変換情報に基づく色変換処理を行う。色変換情報とは、色情報の変換を行うための情報であり、変換前色情報（Ｒ，Ｇ，Ｂ）を、変換後色情報（Ｒ´，Ｇ´，Ｂ´）に変換するための情報である。つまり、色変換情報に基づく色変換処理とは、印刷データのうち、予め登録されている変換前色情報と一致する色情報を、予め登録されている変換後色情報に書き換える処理を指す。このように、色変換情報に基づく色変換処理を行うことにより、ＰＣ１で生成した印刷データの色と、実際に印刷データを印刷した印刷物の色と、の差異を解消することができる。これにより、商品ロゴやデザインマークを含む印刷物など、厳密な色の再現が要求される印刷物を作成する場合において、ユーザーが所望する正確な色で印刷を行うことができる。なお、変換前色情報は、「第１の色情報」の一例であり、変換後色情報は、「第２の色情報」の一例である。また、以下の説明において、色情報の変換を、「色変換」とも称する。
【００１３】
ＰＣ１は、主なハードウェア構成として、ＰＣ制御部１１と、ＰＣ操作部１２と、ＰＣ表示部１３と、ＰＣ通信部１４と、ＰＣ記憶部１５と、を備える。ＰＣ制御部１１は、「印刷設定取得部」、「制御部」および「制御装置制御部」の一例である。また、ＰＣ表示部１３は、「表示部」の一例である。また、ＰＣ記憶部１５は、「記憶部」の一例である。
【００１４】
ＰＣ制御部１１は、ＣＰＵ（Central Processing Unit）等のプロセッサーの他、ＲＯＭ（Read Only Memory）およびＲＡＭ（Random Access Memory）等を含み、プロセッサーがＲＯＭやＲＡＭ等に記憶されたプログラムを実行することによりＰＣ１内の各部を制御する。なお、プロセッサーは、複数のＣＰＵで構成されてもよいし、ＡＳＩＣ（Application Specific Integrated Circuit）等のハードウェア回路で構成されてもよい。また、プロセッサーは、１以上のＣＰＵとＡＳＩＣ等のハードウェア回路が協働して動作する構成でもよい。
【００１５】
ＰＣ操作部１２は、例えばキーボードやマウスであり、色変換情報の作成や印刷設定など、ユーザーが各種操作を行うために用いられる。ＰＣ表示部１３は、例えば液晶ディスプレーであり、後述する第１色変換情報作成画面Ｄ１（図２参照）や印刷設定画面Ｄ２（図５，図６参照）など、各種情報を表示する。ＰＣ通信部１４は、通信線５を介して、印刷装置２と通信を行う。
【００１６】
ＰＣ記憶部１５は、例えばＨＤＤ（Hard Disk Drive）等の記憶装置であり、ＯＳ（Operating System）３１、印刷アプリケーション３２、色変換情報作成ツール３３、印刷ドライバー３４および第１セット情報データベース３５などを記憶する。データベースは、以下、「ＤＢ」と表記する。また、印刷ドライバー３４は、「プログラム」の一例である。
【００１７】
ＯＳ４１は、印刷アプリケーション３２など、各種アプリケーションプログラムを動作させるための基本ソフトウェアである。印刷アプリケーション３２は、印刷対象となる画像や文書などを作成するためのアプリケーションプログラムである。色変換情報作成ツール３３は、色変換情報を作成するためのアプリケーションプログラムである。後述する第１色変換情報作成画面Ｄ１（図２参照）は、色変換情報作成ツール３３の操作画面である。印刷ドライバー３４は、印刷装置２が解釈可能なコマンド体系の印刷データを生成するなど、印刷装置２の印刷制御を行うためのアプリケーションプログラムである。後述する印刷設定画面Ｄ２（図５，図６参照）は、印刷ドライバー３４の操作画面である。第１セット情報ＤＢ３５は、後述する第１セット情報（図３参照）を記憶する。第１セット情報は、「対応情報」の一例である。
【００１８】
印刷装置２は、主なハードウェア構成として、印刷装置制御部２１と、印刷装置操作部２２と、印刷装置表示部２３と、印刷機構２４と、印刷装置通信部２５と、印刷装置記憶部２６と、を備える。印刷装置２の印刷方式は、特に限定しないが、例えばインクジェット方式、電子写真方式、熱転写方式、感熱式などを用いることができる。印刷機構２４は、「印刷部」の一例である。
【００１９】
印刷装置制御部２１は、ＣＰＵ等のプロセッサー、ＲＯＭおよびＲＡＭ等を含み、プロセッサーがＲＯＭやＲＡＭ等に記憶されたプログラムを実行することにより印刷装置２内の各部を制御する。なお、プロセッサーは、複数のＣＰＵで構成されてもよいし、ＡＳＩＣ等のハードウェア回路で構成されてもよい。また、プロセッサーは、１以上のＣＰＵとＡＳＩＣ等のハードウェア回路が協働して動作する構成でもよい。
【００２０】
印刷装置操作部２２は、ユーザーが印刷装置２に対する各種操作を行うために用いられる。印刷装置表示部２３は、各種情報を表示する。なお、印刷装置操作部２２および印刷装置表示部２３は、共通の部材、例えばタッチパネル方式の操作パネルで構成されてもよい。印刷機構２４は、ラベル用紙等の印刷媒体に印刷を行うプリンターエンジンである。例えば、印刷装置２がインクジェットプリンターの場合、印刷機構２４には、インクジェットヘッド、ヘッド駆動機構、印刷媒体搬送機構などが含まれる。印刷装置通信部２５は、通信線５を介して、ＰＣ１と通信を行う。
【００２１】
印刷装置記憶部２６は、例えばフラッシュメモリー等の記憶装置であり、ファームウェア３７および第２セット情報ＤＢ３８などを記憶する。ファームウェア３７は、印刷装置２を制御するための制御プログラムである。印刷装置制御部２１は、このファームウェア３７に基づいて、印刷データの画像処理や印刷機構２４の印刷制御などを行う。第２セット情報ＤＢ３８は、後述する第２セット情報（図４参照）を記憶する。
【００２２】
図２は、ＰＣ表示部１３に表示される第１色変換情報作成画面Ｄ１の一例を示す図である。第１色変換情報作成画面Ｄ１は、後述する第１セット情報を生成するための画面である。第１色変換情報作成画面Ｄ１は、色変換関連設定領域４１と、印刷設定領域４２と、を含む。色変換関連設定領域４１では、色変換情報の設定と、色変換情報に関連する情報の設定と、が行われる。また、印刷設定領域４２では、色変換関連設定領域４１で設定された色変換情報に適した印刷設定が行われる。なお、第１色変換情報作成画面Ｄ１の印刷設定領域４２で設定された印刷設定を、以下、「適正印刷設定」という。
【００２３】
色変換関連設定領域４１は、登録番号入力欄５１と、名称入力欄５２と、色変換情報入力欄５３と、を表示する。登録番号入力欄５１には、色変換情報の登録番号、すなわち後述する第１セット情報の登録番号が入力される。登録番号は、「指定情報」の一例である。なお、登録番号入力欄５１は、登録番号をユーザーが入力するのではなく、ＰＣ制御部１１が自動採番した番号を入力する構成でもよい。
【００２４】
名称入力欄５２には、色変換情報の名称が入力される。色変換情報の名称は、「色変換選択肢」の一例である。色変換情報入力欄５３には、変換前色情報（Ｒ，Ｇ，Ｂ）と、変換後色情報（Ｒ´，Ｇ´，Ｂ´）と、が紐づけて入力される。変換前色情報（Ｒ，Ｇ，Ｂ）および変換後色情報（Ｒ´，Ｇ´，Ｂ´）は、例えば、１バイト、すなわち２５６段階の色値で表される。
【００２５】
なお、色変換情報入力欄５３の変換後色情報を入力する欄には、変換後色情報の色値を入力するのではなく、変換後色情報に対応したパッチ番号を入力する構成でもよい。この場合、ＰＣ制御部１１は、色変換情報作成ツール３３を用いて、色値の異なる多数のパッチをパッチ番号と共に配列した不図示のパッチ表を印刷装置２に印刷させ、ユーザーは、そのパッチ表を見ながら、所望する色値のパッチ番号を入力すればよい。なお、同図に示すように、色変換情報入力欄５３は複数設けられ、複数の色変換情報の入力が可能である。
【００２６】
印刷設定領域４２は、第１印刷品質選択欄５５と、第１用紙種類選択欄５６と、第１印刷濃度選択欄５７と、を表示する。第１印刷品質選択欄５５では、印刷品質として、「早い」、「きれい」を含む複数の選択肢のなかから、いずれかが選択される。第１用紙種類選択欄５６では、用紙種類として、「普通紙」、「光沢紙」を含む複数の選択肢のなかから、いずれかが選択される。第１印刷濃度選択欄５７では、印刷濃度を示す数値として、「０」、「１」、「２」を含む複数の選択肢のなかから、いずれかが選択される。例えば、印刷装置２がインクジェットプリンターの場合、印刷濃度は、画素当たりのインク吐出量に相当し、数値が高いほど、画素当たりのインク吐出量が多くなる。なお、印刷設定領域４２で設定される設定項目や選択肢の種類は一例であり、これらに限定されるものではない。例えば、印刷データの解像度、データ形式、カラー設定などを、印刷設定領域４２において設定可能としてもよい。
【００２７】
ＰＣ制御部１１は、第１色変換情報作成画面Ｄ１において、ユーザーにより第１ＯＫボタン５８が選択されると、第１色変換情報作成画面Ｄ１の設定に基づいて、後述する第１セット情報を生成し、生成した第１セット情報を、第１セット情報ＤＢ３５に登録する。また、ＰＣ制御部１１は、ユーザーにより第１キャンセルボタン５９が選択されると、第１色変換情報作成画面Ｄ１の設定をキャンセルする。
【００２８】
図３は、第１セット情報の一例を示す図である。第１セット情報は、第１色変換情報作成画面Ｄ１の色変換関連設定領域４１における設定内容に基づく、第１色変換関連情報と、印刷設定領域４２における設定内容に基づく、印刷設定情報と、を含む。また、第１色変換関連情報は、色変換情報の登録番号と、名称と、色変換情報と、を含む。色変換情報は、変換前色情報と、変換後色情報と、を含む。なお、色変換情報は、登録番号「６」および「７」の第１セット情報に示すように、１つの登録番号に対して、複数設定される場合もある。
【００２９】
図４は、第２セット情報の一例を示す図である。第２セット情報は、登録番号と、色変換情報と、を含む。第２セット情報ＤＢ３８に登録される第２セット情報は、第１セット情報ＤＢ３５に登録される第１セット情報から、第１色変換関連情報内の登録番号および色変換情報を抽出した情報である。
【００３０】
図５および図６は、ＰＣ表示部１３に表示される印刷設定画面Ｄ２の一例を示す図である。印刷設定画面Ｄ２は、印刷データを印刷する際に、その印刷データに指定する印刷設定を行うための画面である。なお、印刷設定画面Ｄ２のうち、色変換情報選択欄７２（図６参照）以外の選択欄で設定される印刷設定を、第１色変換情報作成画面Ｄ１で設定される「適正印刷設定」と区別して、「指定印刷設定」という。印刷設定画面Ｄ２は、メイン設定画面Ｄ２１（図５参照）と、メイン設定画面Ｄ２１から遷移可能な第１詳細設定画面Ｄ２２（図６参照）と、を含む。
【００３１】
メイン設定画面Ｄ２１は、第２印刷品質選択欄６１と、第２用紙種類選択欄６２と、設定選択ラジオボタン６３と、詳細設定ボタン６４と、第２ＯＫボタン６５と、第２キャンセルボタン６６と、を表示する。第２印刷品質選択欄６１および第２用紙種類選択欄６２は、第１色変換情報作成画面Ｄ１の第１印刷品質選択欄５５および第１用紙種類選択欄５６と同様の選択肢を表示する。設定選択ラジオボタン６３は、「推奨設定」と「詳細設定」のいずれかが選択される。「推奨設定」が選択された場合、印刷品質および用紙種類以外は、印刷データに対し、予め設定された推奨印刷設定が指定される。また、「詳細設定」が選択された場合、印刷データに対し、第１詳細設定画面Ｄ２２（図６参照）の印刷設定が指定される。
【００３２】
ＰＣ制御部１１は、設定選択ラジオボタン６３で「詳細設定」が選択され、詳細設定ボタン６４が選択されると、第１詳細設定画面Ｄ２２を表示する。また、ＰＣ制御部１１は、第２ＯＫボタン６５が選択されると、印刷設定画面Ｄ２の設定を確定する。また、ＰＣ制御部１１は、第２キャンセルボタン６６が選択されると、印刷設定画面Ｄ２の設定をキャンセルする。
【００３３】
図６は、第１詳細設定画面Ｄ２２の一例を示す図である。第１詳細設定画面Ｄ２２は、第２印刷濃度選択欄７１と、色変換情報選択欄７２と、閉じるボタン７３と、を表示する。第２印刷濃度選択欄７１は、第１色変換情報作成画面Ｄ１の第１印刷濃度選択欄５７と同様の選択肢を表示する。
【００３４】
色変換情報選択欄７２は、ドロップダウンリストとして、色変換に用いる色変換情報の選択肢を表示する。以下、色変換情報選択欄７２のドロップダウンリストを、「色変換リスト７２ａ」という。ＰＣ制御部１１は、第１セット情報ＤＢ３５に記憶されている第１セット情報に基づいて、取得した指定印刷設定に対応する適正印刷設定と紐づけられた１以上の色変換情報の名称を、色変換リスト７２ａに表示する。指定印刷設定は、第２印刷品質選択欄６１、第２用紙種類選択欄６２および第２印刷濃度選択欄７１の設定である。なお、色変換リスト７２ａに表示される色変換情報の名称を、以下、「色変換選択肢」という。色変換選択肢は、「色変換情報の選択肢」の一例である。ＰＣ制御部１１は、色変換リスト７２ａに複数の色変換選択肢を表示する場合、対応する色変換情報の登録番号にしたがった順序で複数の色変換選択肢を表示する。
【００３５】
例えば、図３に示した第１セット情報が第１セット情報ＤＢ３５に登録されており、指定印刷設定として、「印刷品質：はやい」、「用紙種類：普通紙」、「印刷濃度：０」を取得した場合、ＰＣ制御部１１は、これら３つの設定すべてが合致する登録番号「１」，「２」，「３」の色変換情報の名称を、色変換リスト７２ａに表示する。仮に、３つの設定すべてが合致する第１セット情報が第１セット情報ＤＢ３５に登録されていない場合、ＰＣ制御部１１は、色変換リスト７２ａを表示しない。このように、色変換情報選択欄７２では、印刷設定画面Ｄ２で設定された印刷設定に適した色変換情報のみ選択可能となっている。ＰＣ制御部１１は、第１詳細設定画面Ｄ２２において、閉じるボタン７３が選択されると、第１詳細設定画面Ｄ２２の設定を確定し、第１詳細設定画面Ｄ２２を非表示とする。
【００３６】
図７は、第１実施形態に係る登録処理の流れを示すフローチャートである。登録処理では、ＰＣ制御部１１は、主に色変換情報作成ツール３３に基づいて処理を行う。また、登録処理では、第１セット情報および第２セット情報が登録される。
【００３７】
ＰＣ制御部１１は、第１色変換情報作成画面Ｄ１（図２参照）を表示し（Ｓ１１）、ユーザー操作により、色変換関連設定と、適正印刷設定と、を取得する（Ｓ１２）。また、ＰＣ制御部１１は、取得した色変換関連設定と、適正印刷設定と、に基づいて第１セット情報を生成し、生成した第１セット情報を第１セット情報ＤＢ３５に登録する（Ｓ１３）。また、ＰＣ制御部１１は、第１セット情報から、第１色変換関連情報内の登録番号および色変換情報を抽出した第２セット情報を、印刷装置２に送信する（Ｓ１４）。印刷装置２は、ＰＣ１から取得した第２セット情報を、第２セット情報ＤＢ３８に登録する（Ｓ１５）。
【００３８】
図８は、第１実施形態に係る印刷処理の流れを示すフローチャートである。ここでは、図７に示した登録処理により、第１セット情報ＤＢ３５に第１セット情報が登録され、第２セット情報ＤＢ３８に第２セット情報が登録されているものとする。なお、印刷処理では、ＰＣ制御部１１は、主に印刷ドライバー３４に基づいて処理を行う。
【００３９】
ＰＣ制御部１１は、印刷設定画面Ｄ２（図５，図６参照）を表示し（Ｓ２１）、ユーザー操作により、指定印刷設定を取得する（Ｓ２２）。また、ＰＣ制御部１１は、取得した指定印刷設定に基づき、色変換情報選択欄７２において、色変換リスト７２ａを表示する（Ｓ２３）。ＰＣ制御部１１は、ユーザー操作により、色変換リスト７２ａの選択結果を取得し（Ｓ２４）、色変換リスト７２ａから選択された色変換選択肢に対応する色変換情報の登録番号と、指定印刷設定を示す指定印刷設定情報と、を含む印刷データを、印刷装置２に送信する（Ｓ２５）。
【００４０】
例えば、図６に示したように、色変換リスト７２ａから、色変換選択肢として、名称「A_Corp_ProdLabel」が選択された場合、図３に示すように、名称「A_Corp_ProdLabel」を含む色変換情報の登録番号は「１」であるから、ＰＣ制御部１１は、登録番号「１」を含む印刷データを送信する。なお、本実施形態において、登録番号および指定印刷設定情報は、印刷データのヘッダー情報として印刷データに含めるが、印刷データとは別に送信してもよい。
【００４１】
また、Ｓ２５において送信される印刷データは、イメージ、テキスト、図形などを描画するためのコマンドであって、印刷装置２が解釈可能なコマンド体系の描画コマンドを含むものとする。ここで、「イメージ」とは、画素の集合体として表した画像を指す。また、Ｓ２５の処理は、「色変換リストから選択された色変換情報に基づいて、印刷データに行う色変換を制御する」の一例である。
【００４２】
印刷装置制御部２１は、ＰＣ１から印刷データを取得すると、登録番号で指定された色変換情報を第２セット情報ＤＢ３８から読み出す（Ｓ２６）。また、印刷装置制御部２１は、取得した印刷データに対し、第２セット情報ＤＢ３８から読み出した色変換情報を用いて、色変換処理を行う（Ｓ２７）。
【００４３】
ここで、印刷装置制御部２１は、印刷データの描画コマンドに含まれる色の指定を書き換えることにより、色変換を行う。より具体的には、印刷装置制御部２１は、描画コマンドに含まれる色情報のうち、読み出した色変換情報に含まれる変換前色情報と一致する色情報を、読み出した色変換情報に含まれる変換後色情報に書き換える。例えば、印刷装置制御部２１は、印刷データの描画コマンドが、イメージを描画するコマンドの場合、描画コマンドに含まれる画素ごとの色情報の書き換えを行う。また、印刷装置制御部２１は、印刷データの描画コマンドが、テキストや図形を描画するコマンドの場合、描画コマンドが指定する色情報の書き換えを行う。なお、印刷装置制御部２１は、色変換処理において、描画コマンドに含まれる色情報のうち、読み出した色変換情報に含まれる変換前色情報と一致しない色情報については、第２セット情報ＤＢ３８から読み出した色変換情報に基づく色変換処理を行わない。
【００４４】
印刷装置制御部２１は、色変換処理を終えると、色変換処理後の印刷データに対し、必要に応じてレンダリング処理等の画像処理を行い、画像データを生成する（Ｓ２８）。レンダリング処理は、印刷データをビットマップデータに変換する処理である。Ｓ２８では、印刷データに含まれる指定印刷設定情報に基づいて、色調補正や階調補正などの画像処理が行われる。また、Ｓ２８では、ＲＧＢ表色系から、ＣＭＹＫ表色系に変換する処理、ハーフトーン処理およびインターレース処理も行われる。ＲＧＢ表色系からＣＭＹＫ表色系への変換は、既知の色変換ＬＵＴ（Lookup table）を用いて、レンダリング処理後のＲＧＢデータをＣＭＹＫデータに変換することによって行われる。印刷装置制御部２１は、生成した画像データに基づいて、印刷を行う（Ｓ２９）。
【００４５】
以上、説明したとおり、第１実施形態に係るＰＣ１は、第１セット情報ＤＢ３５に記憶されている複数の色変換情報のなかから、ユーザーが指定した指定印刷設定に対応する適正印刷設定と紐づけられた１以上の色変換情報を抽出し、抽出した１以上の色変換情報に対応する１以上の色変換選択肢を色変換リスト７２ａに表示させる。このため、第１セット情報ＤＢ３５に記憶された全ての色変換情報に対応する色変換選択肢を表示する場合と比較して、選択肢の数を減らすことができる。これにより、色変換情報の選択が容易になると共に誤選択を抑制することができる。
【００４６】
また、ＰＣ１は、印刷装置２に送信する印刷データに、色変換情報そのものではなく、色変換情報を指定する登録番号を含めるため、データ送信量を減らすことができる。一方、印刷装置２は、第２セット情報ＤＢ３８に記憶されている色変換情報を用いて、ＰＣ１から取得した印刷データの描画コマンドに含まれる色の指定を、Ｒ、Ｇ、ＢからＲ´，Ｇ´，Ｂ´に書き換えるため、色変換処理を容易に行うことができる。
【００４７】
なお、第１実施形態では、以下の変形例を採用可能である。
［変形例１−１］
上記の実施形態では、ＰＣ１側で印刷設定画面Ｄ２を表示したが、印刷装置２側で表示してもよい。本変形例において、印刷装置２は、「印刷制御装置」および「コンピューター」の一例である。以下、第１実施形態と異なる点を中心に説明する。図９は、本変形例に係る第１印刷システムＳＹ１´のシステム構成図である。本変形例に係る第１印刷システムＳＹ１´は、第１実施形態に係る第１印刷システムＳＹ１（図１参照）と比較し、印刷装置２の印刷装置記憶部２６内において、第２セット情報ＤＢ３８ではなく、印刷装置内第１セット情報ＤＢ３５´を設けた点で異なる。印刷装置内第１セット情報ＤＢ３５´は、「記憶部」の一例である。印刷装置内第１セット情報ＤＢ３５´には、ＰＣ１内の第１セット情報ＤＢ３５と、同じ第１セット情報が記憶される。また、本変形例において、印刷装置制御部２１は、「印刷データ取得部」、「印刷設定取得部」および「制御部」の一例である。
【００４８】
図１０は、本変形例に係る登録処理の流れを示すフローチャートである。ＰＣ制御部１１は、第１色変換情報作成画面Ｄ１（図２参照）を表示し（Ｓ３１）、ユーザー操作により、色変換関連設定と、適正印刷設定と、を取得する（Ｓ３２）。また、ＰＣ制御部１１は、取得した色変換関連設定と、適正印刷設定と、に基づいて第１セット情報を生成し、生成した第１セット情報を、印刷装置２に送信する（Ｓ３３）。印刷装置制御部２１は、ＰＣ１から取得した第１セット情報を、印刷装置内第１セット情報ＤＢ３５´に登録する（Ｓ３４）。
【００４９】
図１１は、本変形例に係る印刷処理の流れを示すフローチャートである。印刷装置制御部２１は、印刷装置表示部２３に印刷設定画面Ｄ２（図５，図６参照）を表示し（Ｓ４１）、ユーザー操作により、指定印刷設定を取得する（Ｓ４２）。また、印刷装置制御部２１は、取得した指定印刷設定に基づき、色変換情報選択欄７２において、色変換リスト７２ａを表示する（Ｓ４３）。つまり、印刷装置制御部２１は、印刷装置内第１セット情報ＤＢ３５´に記憶されている複数の色変換情報のなかから、取得した指定印刷設定に対応する１以上の色変換情報を抽出し、抽出した１以上の色変換情報に対応する１以上の色変換選択肢を、色変換リスト７２ａに表示する。印刷装置制御部２１は、ユーザー操作により、色変換リスト７２ａの選択結果を取得し（Ｓ４４）、色変換リスト７２ａから選択された色変換選択肢に対応する色変換情報を、設定色変換情報として、印刷装置制御部２１内のＲＡＭ等に記憶する（Ｓ４５）。
【００５０】
その後、ＰＣ制御部１１が、印刷データを印刷装置２に送信する（Ｓ４６）。ここでは、ＰＣ制御部１１は、色変換情報の登録番号と、指定印刷設定情報と、を含まない印刷データを、印刷装置２に送信する。印刷装置制御部２１は、ＰＣ１から印刷データを取得すると、取得した印刷データに対し、記憶しておいた設定色変換情報を用いて色変換処理を行う（Ｓ４７）。また、印刷装置制御部２１は、色変換処理後の印刷データに対し、必要に応じてレンダリング処理等の画像処理を行って、画像データを生成し（Ｓ４８）、生成した画像データに基づいて、印刷を行う（Ｓ４９）。なお、Ｓ４７ないしＳ４９の詳細は、図８のＳ２７ないしＳ２９と同様である。
【００５１】
このように、本変形例に係る第１印刷システムＳＹ１´は、印刷装置２側で指定印刷設定を取得し、印刷装置内第１セット情報ＤＢ３５´に記憶されている複数の色変換情報のなかから、取得した指定印刷設定に基づいて１以上の色変換情報を抽出し、抽出した１以上の色変換情報に対応する１以上の色変換選択肢を色変換リスト７２ａに表示させる。これにより、ＰＣ１側で印刷データに対する印刷設定ができない場合でも、第１実施形態と同様の効果を奏することができる。なお、ＰＣ１側で印刷データに対する印刷設定ができない場合とは、印刷アプリケーション３２との相性やＰＣ１のスペックの兼ね合いで、印刷ドライバー３４の入れ替えや更新が困難な場合などが考えられる。
【００５２】
［変形例１−２］
変形例１−１では、印刷装置２側で印刷設定を行ったが、ＰＣ１側で印刷設定を行い、ＰＣ１が、指定印刷設定情報を含む印刷データを、印刷装置２に送信する構成でもよい。この場合、印刷装置２は、印刷データに含まれる指定印刷設定情報から指定印刷設定を取得し、印刷装置内第１セット情報ＤＢ３５´に記憶されている複数の色変換情報のなかから、取得した指定印刷設定に基づいて１以上の色変換情報を抽出し、抽出した１以上の色変換情報に対応する１以上の色変換選択肢を、色変換選択肢として表示する。
【００５３】
［変形例１−３］
第１実施形態では、ＰＣ１内に第１セット情報ＤＢ３５を備え、印刷装置２内に第２セット情報ＤＢ３８を備えたが、ＰＣ１内には、第１セット情報ではなく、色変換情報の登録番号と、名称のみを記憶しておく構成でもよい。また、ＰＣ１内に第１セット情報ＤＢ３５を備えず、印刷装置２内に第１セット情報ＤＢ３５を備え、ＰＣ１が、印刷装置２内の第１セット情報ＤＢ３５を参照する構成でもよい。また、逆に、印刷装置２内に第２セット情報ＤＢ３８を備えず、印刷装置２が、ＰＣ１内の第１セット情報ＤＢ３５を参照する構成でもよい。さらに、ＰＣ１および印刷装置２がアクセス可能な外部装置内に第１セット情報ＤＢ３５を記憶し、ＰＣ１および印刷装置２が、外部装置内の第１セット情報ＤＢ３５を参照する構成でもよい。
【００５４】
［変形例１−４］
第１実施形態では、色変換リスト７２ａに色変換選択肢を表示する際、複数の色変換選択肢を、色変換情報の登録番号の順序にしたがって並べたが、登録番号順以外の順序で並べてもよい。例えば、ＰＣ制御部１１は、指定印刷設定に基づいて抽出した１以上の色変換情報に対応する１以上の色変換選択肢を、変換前色情報または変換後色情報にしたがって配列してもよい。この構成によれば、変換前色情報または変換後色情報が近い色変換情報が並べて表示されるため、色変換情報の選択が容易である。
また、色変換リスト７２ａに表示する色変換選択肢として、色変換情報の説明を表示してもよい。例えば、説明として、「＊＊薬局向け薬袋ラベル」、「＊＊社向け商品ラベル」など、色変換情報が適用される印刷物に関する情報を表示してもよい。また、色変換情報がロゴマークに対して用いられる場合は、色変換選択肢として、色変換情報にロゴマークを付加して表示してもよい。この場合、同じロゴマークが続けて表示されるように、ロゴマークにしたがって、複数の色変換選択肢を並べて表示してもよい。
【００５５】
［変形例１−５］
第１実施形態では、ユーザーが指定した指定印刷設定を取得し、取得した指定印刷設定に基づいて、１以上の色変換情報に対応する１以上の色変換選択肢を色変換リスト７２ａに表示させたが、ユーザーが指定した指定印刷設定だけでなく、印刷装置２の機種情報を取得し、取得した機種情報に基づいて、１以上の色変換選択肢を色変換リスト７２ａに表示させてもよい。例えば、第１実施形態の場合、ＰＣ制御部１１は、ユーザーが指定した機種情報を取得してもよいし、印刷装置２に機種情報を問い合わせ、印刷装置２から機種情報を取得してもよい。また、変形例１−１の場合、印刷装置制御部２１は、自装置の機種を判別して、印刷装置内第１セット情報ＤＢ３５´から、ユーザーが指定した指定印刷設定と、判別した自装置の機種と、に基づいて、１以上の色変換選択肢を抽出して色変換リスト７２ａを表示させてもよい。この構成によれば、１台のＰＣ１と、機種の異なる複数台の印刷装置２とが接続されている場合、ＰＣ１は、全ての印刷装置２に対して同じ第１セット情報を送信すればよく、機種に応じた第１セット情報を生成する必要がない。
【００５６】
［変形例１−６］
第１実施形態では、印刷ドライバー３４に基づいて表示される印刷設定画面Ｄ２を用いて指定印刷設定を取得したが、印刷アプリケーション３２を用いて指定印刷設定を取得する構成でもよい。この場合、ＰＣ制御部１１は、印刷アプリケーション３２を用いて、指定印刷設定を含む印刷データを生成する。また、ＰＣ制御部１１は、印刷ドライバー３４に基づいて、指定印刷設定を含む印刷データを取得し、印刷データに含まれる指定印刷設定に基づいて、色変換選択肢を選択するための色変換情報選択欄７２を含む不図示の選択画面を表示する。また、ＰＣ制御部１１は、印刷ドライバー３４に基づいて、印刷データに含まれる指定印刷設定と、色変換情報選択欄７２の選択結果に基づく色変換情報の登録番号と、を含む印刷データを印刷装置２に送信する。
【００５７】
［変形例１−７］
第１実施形態において、ＰＣ制御部１１は、描画コマンドを含む印刷データを生成したが、コマンド以外の言語で記述された印刷データを生成してもよい。例えば、ＸＭＬ（Extensible Markup Language）等のマークアップ言語で、印刷データを生成してもよい。
【００５８】
［第２実施形態］
第２実施形態について説明する。第２実施形態では、印刷装置２において、印刷データのうち、指定された変換対象のみに対して色変換を行うことを特徴とする。以下、第１実施形態と異なる点を中心に説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００５９】
図１２は、第２実施形態に係る第２印刷システムＳＹ２のシステム構成図である。第２印刷システムＳＹ２は、第１実施形態に係る第１印刷システムＳＹ１（図１参照）と比較し、ＰＣ１のＰＣ記憶部１５内において、第１セット情報ＤＢ３５ではなく、第３セット情報ＤＢ８１を設けた点で異なる。本実施形態において、ＰＣ制御部１１は、「制御装置制御部」の一例である。また、第２セット情報ＤＢ３８は、「記憶部」の一例である。また、印刷装置制御部２１は、「印刷データ取得部」の一例である。また、印刷機構２４は、「印刷部」の一例である。
【００６０】
図１３は、第３セット情報の一例を示す図である。第３セット情報は、第１セット情報（図３参照）のうち第１色変換関連情報に相当する情報、すなわち第１セット情報から印刷設定情報を削除した情報である。
【００６１】
図１４は、第２実施形態に係る第２色変換情報作成画面Ｄ３の一例を示す図である。第２色変換情報作成画面Ｄ３は、第１実施形態に係る第１色変換情報作成画面Ｄ１（図２参照）から、印刷設定領域４２を削除した画面構成となっている。
【００６２】
図１５は、第２実施形態に係る第２詳細設定画面Ｄ２３の一例を示す図である。なお、印刷設定画面Ｄ２のメイン設定画面Ｄ２１（図５参照）については、第１実施形態と同様であるため、図示を省略する。第２詳細設定画面Ｄ２３は、第１実施形態に係る第１詳細設定画面Ｄ２２（図６参照）に、変換対象領域指定欄７５を追加した画面構成となっている。
【００６３】
変換対象領域指定欄７５では、印刷データの画像領域Ｅ０（図１８参照）のうち、色変換の変換対象となる領域が指定される。色変換の変換対象となる領域を、以下、「変換対象領域Ｅ１（図１８参照）」という。本実施形態では、変換対象領域指定欄７５において、４つの座標が指定される。印刷装置２では、この４つの座標を頂点とする四角形の領域を、変換対象領域Ｅ１として色変換する。
【００６４】
図１６は、第２実施形態に係る登録処理の流れを示すフローチャートである。ＰＣ制御部１１は、第２色変換情報作成画面Ｄ３（図１４参照）を表示し（Ｓ５１）、ユーザー操作により、色変換関連設定を取得する（Ｓ５２）。また、ＰＣ制御部１１は、取得した色変換関連設定に基づいて第３セット情報を生成し、生成した第３セット情報を第３セット情報ＤＢ８１に登録する（Ｓ５３）。また、ＰＣ制御部１１は、第３セット情報から名称を削除した情報である第２セット情報を、印刷装置２に送信する（Ｓ５４）。印刷装置２は、ＰＣ１から取得した第２セット情報を、第２セット情報ＤＢ３８に登録する（Ｓ５５）。
【００６５】
図１７は、第２実施形態に係る印刷処理の流れを示すフローチャートである。ここでは、図１６に示した登録処理により、第３セット情報ＤＢ８１に第３セット情報が登録され、第２セット情報ＤＢ３８に第２セット情報が登録されているものとする。
【００６６】
ＰＣ制御部１１は、印刷設定画面Ｄ２（図５，図１５参照）を表示し（Ｓ６１）、ユーザー操作により、指定印刷設定と、色変換情報選択欄７２における色変換リスト７２ａの選択結果と、変換対象領域指定欄７５における変換対象領域Ｅ１の指定結果と、を取得する（Ｓ６２）。ＰＣ制御部１１は、指定印刷設定を示す指定印刷設定情報と、色変換リスト７２ａの選択結果に基づく色変換情報の登録番号と、変換対象領域Ｅ１の指定結果に基づく座標情報と、を含む印刷データを、印刷装置２に送信する（Ｓ６３）。なお、登録番号は、「第２指定情報」の一例であり、座標情報は、「第１指定情報」の一例である。
【００６７】
なお、本実施形態においても、ＰＣ制御部１１は、印刷データのヘッダー情報として、指定印刷設定情報、登録番号および座標情報を印刷データに含める。また、印刷データには、イメージ、テキスト、図形などを描画するための描画コマンドも含まれている。
【００６８】
印刷装置制御部２１は、ＰＣ１から印刷データを取得すると、登録番号で指定された色変換情報を第２セット情報ＤＢ３８から読み出す（Ｓ６４）。また、印刷装置制御部２１は、取得した印刷データの画像領域Ｅ０のうち、座標情報により指定された変換対象領域Ｅ１に対し、第２セット情報ＤＢ３８から読み出した色変換情報を用いて、色変換処理を行う（Ｓ６５）。例えば、図１８に示す印刷データを取得した場合であって、座標情報として、（Ｘ１，Ｙ１）、（Ｘ２，Ｙ２）、（Ｘ３，Ｙ３）、（Ｘ４，Ｙ４）が指定された場合、同図に示すように、印刷データの画像領域Ｅ０のうち、指定された４つの座標を頂点とする枠９１で囲まれた領域が変換対象領域Ｅ１となる。この場合、印刷装置制御部２１は、変換対象領域Ｅ１に対しては、登録番号で指定された色変換情報に基づく色変換処理を行うが、印刷データの画像領域Ｅ０のうち、変換対象領域Ｅ１以外の領域に対しては、登録番号で指定された色変換情報に基づく色変換処理を行わない。
【００６９】
印刷装置制御部２１は、色変換処理を終えると、色変換処理後の印刷データに対し、必要に応じてレンダリング処理等の画像処理を行い、画像データを生成する（Ｓ６６）。また、印刷装置制御部２１は、生成した画像データに基づいて、印刷を行う（Ｓ６７）。なお、Ｓ６６およびＳ６７の詳細は、図８のＳ２８およびＳ２９と同様である。
【００７０】
以上、説明したとおり、第２実施形態に係るＰＣ１は、色変換の変換対象領域Ｅ１を指定する座標情報を含む印刷データを印刷装置２に送信するため、印刷装置２では、印刷データのうち、座標情報により指定された変換対象領域Ｅ１に対してのみ色変換される。このため、ユーザーが所望しない部分に対して色変換されてしまうことがない。また、変換対象領域Ｅ１を指定する情報として、座標情報を用いるため、ユーザーの所望する領域を正確に指定することができる。
【００７１】
また、ＰＣ１は、色変換情報を指定する登録番号を含む印刷データを印刷装置２に送信するため、色変換情報そのものを印刷データに含めて送信する場合と比較して、データ送信量を減らすことができる。
【００７２】
なお、第２実施形態では、以下の変形例を採用可能である。
［変形例２−１］
例えば、第２詳細設定画面Ｄ２３において、プレビュー表示を行ってもよい。図１９は、本変形例に係る第２詳細設定画面Ｄ２３´の一例を示す図である。第２詳細設定画面Ｄ２３´は、第２実施形態に係る第２詳細設定画面Ｄ２３（図１５参照）に、プレビュー表示領域７７を追加した画面構成となっている。プレビュー表示領域７７は、印刷データのプレビュー表示画像１０１を表示する。また、プレビュー表示領域７７は、印刷データのプレビュー表示画像１０１のうち、変換対象領域Ｅ１に相当する範囲を、点線枠１０２等で表示する。ＰＣ制御部１１は、印刷ドライバー３４に基づいて、印刷設定の対象となっている印刷データのプレビュー表示画像１０１を生成する。より具体的には、ＰＣ制御部１１は、印刷データの画像領域Ｅ０のうち、変換対象領域指定欄７５で指定された座標情報に基づく変換対象領域Ｅ１に対し、色変換情報選択欄７２で選択された色変換情報を用いて色変換処理を行い、プレビュー表示画像１０１を生成する。また、ＰＣ制御部１１は、生成したプレビュー表示画像１０１を含む第２詳細設定画面Ｄ２３´を、ＰＣ表示部１３に表示させる。本変形例において、ＰＣ表示部１３は、「表示部」の一例である。このように、本変形例によれば、変換対象領域Ｅ１に対して色変換した印刷データを、プレビュー表示させるため、ユーザーは、印刷データの印刷結果を、実際に印刷物を印刷することなく、第２詳細設定画面Ｄ２３´の表示から推測することができる。
【００７３】
［変形例２−２］
第２実施形態では、変換対象領域Ｅ１を指定する情報として、座標情報を用いたが、座標情報以外の情報を用いて、変換対象領域Ｅ１を指定してもよい。例えば、印刷データの上側１／２領域や、印刷データを４分割した場合の左上領域などを示す情報を用いて、変換対象領域Ｅ１を指定してもよい。
【００７４】
［変形例２−３］
また、変換対象領域Ｅ１を指定する情報を印刷データに含めるのではなく、変換対象とするオブジェクトを指定する情報を印刷データに含めてもよい。以下、オブジェクトを指定する情報を、「オブジェクト指定情報」という。オブジェクト指定情報は、「第１指定情報」の一例である。オブジェクトとしては、例えば、テキスト、図形、線、などを指定することが考えられる。
【００７５】
この場合、第２詳細設定画面Ｄ２３には、変換対象領域指定欄７５に代えて、変換対象とするオブジェクトを指定するオブジェクト指定欄を設ける。また、ＰＣ制御部１１は、オブジェクト指定欄の指定結果に基づいて、オブジェクト指定情報を含む印刷データを印刷装置２に送信する。印刷装置制御部２１は、印刷データに含まれるオブジェクト指定情報に基づいて、色変換の変換対象を特定する。例えば、印刷装置制御部２１は、オブジェクト指定情報がテキストを指定する情報である場合、印刷データに含まれるオブジェクトのうち、テキストに対してのみ、色情報の書き換えを行う。つまり、印刷装置制御部２１は、テキストを描画する描画コマンドに対して、指定される色情報の書き換えを行う。
【００７６】
なお、印刷装置制御部２１は、取得した印刷データが画像データの場合、ＯＣＲ（Optical Character Recognition）等の技術を用いてテキスト対象画素を抽出し、抽出したテキスト対象画素に対して色情報を書き換える。また、印刷装置制御部２１は、印刷データに含まれるオブジェクトのうち、オブジェクト指定情報で指定されるオブジェクト以外のオブジェクトについては、色情報の書き換えを行わない。
【００７７】
［変形例２−４］
また、変換対象を指定する情報として、座標情報とオブジェクト指定情報とを組み合わせてもよい。この場合、座標情報とオブジェクト指定情報は、ＡＮＤ条件として指定してもよいし、ＯＲ条件と指定してもよい。例えば、前者の場合、印刷装置制御部２１は、印刷データの画像領域Ｅ０のなかの、座標情報で指定される変換対象領域Ｅ１のうち、オブジェクト指定情報で指定されるオブジェクトに対して色変換を行う。また、後者の場合、印刷装置制御部２１は、印刷データの画像領域Ｅ０のなかの、座標情報で指定される変換対象領域Ｅ１と、印刷データの画像領域Ｅ０のなかの、オブジェクト指定情報で指定されるオブジェクトと、に対して色変換を行う。
【００７８】
以上、２つの実施形態を示したが、上記の各実施形態および各変形例に示したＰＣ１および印刷装置２の各処理を実行する方法、ＰＣ１および印刷装置２の各処理を実行するためのプログラム、またそのプログラムを記録したコンピューター読み取り可能な記録媒体も、発明の権利範囲に含まれる。また、各実施形態と各変形例を組み合わせた構成としてもよい。
【００７９】
また、ＰＣ１に代えて、各種タブレット端末やスマートフォンなど、各種情報処理端末を用いてもよい。その他、ＰＣ１および印刷装置２の各処理をハードウェアとソフトウェアの協働により実現するなど、発明の要旨を逸脱しない範囲で、適宜変更が可能である。
【００８０】
［付記］
以下、印刷制御装置、印刷装置、印刷システム、およびプログラムについて付記する。
ＰＣ１は、印刷データに含まれる第１の色情報を、第１の色情報とは異なる第２の色情報に色変換する印刷装置２の印刷制御を行うものであって、印刷データのうち、色変換の変換対象を指定する第１指定情報を含む印刷データを生成し、生成した印刷データを印刷装置２に送信するＰＣ制御部１１、を備える。
【００８１】
印刷装置２は、印刷データに含まれる第１の色情報を、第１の色情報とは異なる第２の色情報に色変換するための色変換情報を記憶した第２セット情報ＤＢ３８と、印刷データのうち、色変換の変換対象を指定する第１指定情報を含む印刷データを取得し、第２セット情報ＤＢ３８に記憶されている色変換情報に基づいて、取得した印刷データのうち、第１指定情報により指定される変換対象に対して色変換を行い、印刷データの変換対象に対して色変換した画像データに基づいて、印刷機構２４に印刷を実行させる印刷装置制御部２１を備える。
【００８２】
第２印刷システムＳＹ２は、印刷データに含まれる第１の色情報を、第１の色情報とは異なる第２の色情報に色変換するための色変換情報を記憶した第２セット情報ＤＢ３８を有する印刷装置２と、印刷装置２の印刷制御を行うＰＣ１と、を含み、印刷装置２は、ＰＣ１から、印刷データのうち、色変換の変換対象を指定する第１指定情報を含む印刷データを取得し、第２セット情報ＤＢ３８に記憶されている色変換情報に基づいて、取得した印刷データのうち、第１指定情報により指定される変換対象に対して色変換を行い、印刷データの変換対象に対して色変換した画像データに基づいて、印刷機構２４に印刷を実行させる印刷装置制御部２１を備える。
【００８３】
印刷ドライバー３４は、印刷データに含まれる第１の色情報を、第１の色情報とは異なる第２の色情報に色変換する印刷装置２の印刷制御を行うＰＣ１に、印刷データのうち、色変換の変換対象を指定する第１指定情報を含む印刷データを生成し、生成した印刷データを印刷装置２に送信するステップ、を実行させる。
【００８４】
この構成によれば、ＰＣ１は、色変換の変換対象を指定する第１指定情報を含む印刷データを印刷装置２に送信するため、印刷装置２では、印刷データのうち、第１指定情報により指定される変換対象に対してのみ色変換する。このため、ユーザーが所望しない部分に対して色変換されてしまうことがない。
【００８５】
上記のＰＣ１において、印刷装置２は、色変換するための色変換情報を複数記憶しており、ＰＣ制御部１１は、第１指定情報と、印刷装置２に記憶されている複数の色変換情報のうち、色変換に用いられる色変換情報を指定する第２指定情報と、を含む印刷データを生成し、生成した印刷データを印刷装置２に送信する。
【００８６】
この構成によれば、印刷装置２に送信する印刷データに、色変換情報そのものではなく、色変換情報を指定する第２指定情報を含めるため、データ送信量を減らすことができる。
【００８７】
上記のＰＣ１において、第１指定情報は、印刷データの画像領域のうち、変換対象となる領域を指定する座標情報である。
【００８８】
この構成によれば、第１指定情報として座標情報を指定することにより、ユーザーが所望する領域に対して色変換させることができる。
【００８９】
上記のＰＣ１において、第１指定情報は、印刷データに含まれるオブジェクトのうち、変換対象となるオブジェクトを指定する情報である。
【００９０】
この構成によれば、第１指定情報としてオブジェクトを指定することにより、ユーザーが所望するオブジェクトに対して色情報を変換させることができる。
【００９１】
上記のＰＣ１において、ＰＣ制御部１１は、印刷データに対し、第１指定情報により指定された変換対象に対して色変換を行うことにより、印刷データのプレビュー表示画像１０１を生成し、生成したプレビュー表示画像１０１をＰＣ表示部１３に表示させる。
【００９２】
この構成によれば、変換対象に対して色変換した印刷データを、プレビュー表示させるため、ユーザーは、印刷データの印刷結果を推測することができる。
【００９３】
上記の印刷装置２において、印刷データは、描画コマンドを含み、印刷装置制御部２１は、描画コマンドに含まれる色の指定を書き換えることにより、色情報の変換を行う。
【００９４】
この構成によれば、印刷装置２では、描画コマンドに含まれる色の指定を書き換えることにより、容易に色変換することができる。
【符号の説明】
【００９５】
１…ＰＣ、２…印刷装置、５…通信線、１１…ＰＣ制御部、１２…ＰＣ操作部、１３…ＰＣ表示部、１４…ＰＣ通信部、１５…ＰＣ記憶部、２１…印刷装置制御部、２２…印刷装置操作部、２３…印刷装置表示部、２４…印刷機構、２５…印刷装置通信部、２６…印刷装置記憶部、３２…印刷アプリケーション、３３…色変換情報作成ツール、３４…印刷ドライバー、３７…ファームウェア、３８…第２セット情報ＤＢ、８１…第３セット情報ＤＢ、ＳＹ２…第２印刷システム。
【図１】
2020113039.tif 000003
【図２】
2020113039.tif 000004
【図３】
2020113039.tif 000005
【図４】
2020113039.tif 000006
【図５】
2020113039.tif 000007
【図６】
2020113039.tif 000008
【図７】
2020113039.tif 000009
【図８】
2020113039.tif 000010
【図９】
2020113039.tif 000011
【図１０】
2020113039.tif 000012
【図１１】
2020113039.tif 000013
【図１２】
2020113039.tif 000014
【図１３】
2020113039.tif 000015
【図１４】
2020113039.tif 000016
【図１５】
2020113039.tif 000017
【図１６】
2020113039.tif 000018
【図１７】
2020113039.tif 000019
【図１８】
2020113039.tif 000020
【図１９】
2020113039.tif 000021